(57)【要約】【技術課題】  成形コストが安く、使用時にキャップが邪魔しないようにノズル部に止めておくことができ、取り外したときにトップキャップを紛失しない構成のノズルキャップを提供する。【解決手段】  容器１００の口部１０１に対する装着口２を下部に形成し、上部に前記装着口２に連通しているノズル部３を形成して成るノズル本体１と、前記ノズル本体１の装着口２部分の外周面から水平方向に延長された連結帯４の先端に、前記ノズル部３を閉塞するためのトップキャップ５を上向きに形成すると共に、前記連結帯４の一部に、前記ノズル部３に嵌着自在の止めリング６を形成する。また、前記ノズル本体１及び連結帯４及び止めリング６及びトップキャップ５は、射出成形用金型を用いて一体に成形する。【選択図】        図  ３
0003116898.tif 000002
【実用新案登録請求の範囲】
【請求項１】
容器の口部に対する嵌合口を下部に形成し、上部に前記嵌合口に連通しているノズル部を形成して成るノズル本体と、前記ノズル本体の嵌合口部分の外周面から水平方向に延長された可撓性連結帯の先端に、前記ノズル部の先端に被嵌して閉塞するためのトップキャップを上向きに形成すると共に、前記連結帯の一部に、前記ノズル本体のノズル部に上方から通嵌自在の止めリングを形成して成るノズル閉塞手段とから成り、前記ノズル本体及び連結帯及び止めリング及びトップキャップは、射出成形用金型を用いて一体成形されていること、を特徴とするノズルキャップ。
【考案の詳細な説明】
【技術分野】
【０００１】
本考案は、容器内から内容物を注出するための注出口がノズル状を呈した所謂ノズルキャップに関する。
【背景技術】
【０００２】
ノズルキャップの場合、ノズル部の先端は尖った形状となっていて、ここに被せて使用するトップキャップは、大変小さい外形となっている。このため、ノズル部からキャップを取り外した際、このトップキャップの置き場に注意をしていないと、転がったりして紛失してしまうことがある。
そこで、トップキャップを紛失しないように、ノズル本体とトップキャップを紐のようなものや、樹脂製の帯状のもので繋いでいるケースがある。
図５（Ａ）は、このようなノズルキャップの例であって、容器１００の口部１０１に取付リング１０２を用いて可撓性を有する連結帯１０３によりトップキャップ１０４を連設しておくことによって、図５（Ａ）に示すようにトップキャップ１０４を取り外しても、トップキャップ１０４は連結帯１０３によりキャップ本体１０２に繋がっているため、紛失しないという便利さがある。
図５（Ａ）（Ｂ）において、１０５はノズル本体、１０６はノズル部である。
【０００３】
しかし、図５（Ｂ）に示すように、ノズル部１０６から内容物を注出するときに、トップキャップ１０４を上にしたのでは邪魔になることから、下にして注出することになるが、このようにすると、トップキャップ１０４が今度は食器や盛り付けられた食品に触れたりして、結局邪魔になる。
その他、キャップの保持手段として、次のような提案が特許公報に掲載されている。
【０００４】
［特開２００１−０７２１２０号公報］
この保持手段は、ボトル本体に、元々のキャップを確実に保持することができるペットボトルキャップ保持具に関し、ペットボトルＰの首部に、着脱自在に、かつ、回転可能に取付けられる取付部１と、元々のキャップＡを、密嵌状に保持する保持部２と、取付部１と保持部２とを連設する連繋可撓部３を設けた構造である。
しかし、このキャップ保持手段の場合、あとからペットボトルの首部に取付け部１を装着する必要があるため、キャップＡを自動充填機において、内容物をペットボトルＰ内に自動充填したり、キャップＡをペットボトルＰに自動、つまり機械的な手段で装着することは、取付部１や、連繋可撓部３が邪魔してできない。このため、キャップＡを後付けする場合にのみ実用化が可能であることから、用途は限定される。
【０００５】
［特開２００１−２９４２５９号公報］
この保持手段は、ボトル本体よりキャップを外した時、キャップの保管、紛失に心配することの無いように、着脱作業の容易で衛生面も考慮された係止部をボトル本体の側面に設けたキャップホルダー付きボトルに関するもので、ボトル本体（１）の側面にキャップを係止する凹部（３）を設け、凹部（３）の側面に数カ所のキャップ止め（４）を設け、キャップ下部の凸部（５）を凹部（３）の底部と、キャップ止め（４）の間にキャップ（２）を嵌め込むことでキャップ（２）を係止することを特徴とするものである。
しかし、このキャップ保持手段の場合、ペットボトルを成形するときに凹部３を形成する必要があり、成形用の金型が複雑になると共に、キャップ２はペットボトル１から離れているため、落としたりして紛失することがある。
【０００６】
[特開２００４−１１５１２０号公報]
この保持手段は、ペットボトルから直接飲用する時に、外したキャップを一時仮置きできるペットボトルに取り付けられるキャップホルダーに関するもので、キャップ（５）を着脱自在に保持できるように形成されたキャップ保持部（１ａ）を設けると共に、前記キャップ保持部（１ａ）をペットボトル本体（４）に巻かれたラベル（３）とペットボトル本体（４）側面の間に差し込み、支持できるように形成された差し込み部（２）を設け、ラベル（３）がペットボトル本体（４）側面に密着する力により、キャップ保持部（１ａ）を差し込み部（２）で支持できる構造としたものである。
しかし、このキャップ保持手段は、いちいち差し込み部（２）をラベル（３）のところに差し込む必要があり、不便であるばかりでなく、キャップ５はホルダーと離れているため、紛失したりする心配がある。
【考案の開示】
【考案が解決しようとする課題】
【０００７】
本考案は、上述した公知例の欠点を解消したノズルキャップを提案するのが目的であって、具体的には、絶対的に紛失せず、ノズル部から内容物を注出するときに邪魔とならず、射出成形によりノズル本体とトップキャップ及びこのトップキャップをノズル本体に繋ぐ連結帯を一体成形可能な構造とすることにより、製造コストの低減を可能としたノズルキャップを提案することである。
【課題を解決するための手段】
【０００８】
以下に、上記目的を達成するノズルキャップの構成を詳述すると、ノズルキャップは、容器の口部に対する嵌合口を下部に形成し、上部に前記嵌合口に連通しているノズル部を形成して成るノズル本体と、前記ノズル本体の嵌合口部分の外周面から水平方向に延長された可撓性連結帯の先端に、前記ノズル部の先端に被嵌して閉塞するためのトップキャップを上向きに形成すると共に、前記連結帯の一部に、前記ノズル本体のノズル部に上方から通嵌自在の止めリングを形成して成るノズル閉塞手段とから成り、前記ノズル本体及び連結帯及び止めリング及びトップキャップは、射出成形用金型を用いて一体成形されていること、を特徴とするものである。
【０００９】
［作用］
不使用時のノズルキャップ本体は、容器の口部に装着され、トップキャップは連結帯を円曲させた状態でノズル部の先端に被嵌されている。そして、使用時には、ノズル部からトップキャップを取り外し、止めリングをノズル部に先端側から通し、ノズル部の中間部分に嵌め込む。このようにすると、トップキャップはノズル本体のノズル部により保持され、然もブラブラしないため、容器をどのような方向、角度で使用しても、トップキャップは邪魔にならない。
トップキャップを閉じる場合には、止めリングをノズル部から取り外し、連結帯を円曲させてトップキャップをノズル部の先端に被嵌する。
上記ノズルキャップは、射出成形用金型を用いて一体成形する。
【考案の効果】
【００１０】
本考案は以上のように、キャップ本体と連結帯、止めリング、トップキャップを射出成形用金型を用いて一体成形としたことにより、成形コストが低く、トップキャップは、連結帯によりノズル本体と連結されているため、取り外したときに紛失したりする心配がないと共に、耐久性も向上する。
また、連結帯には止めリングが一体成形されていて、この止めリングをノズル部に嵌め込んで止めることにより、トップキャップはノズル部に固定される。このため内容物を注出する際に、ブラついたりすることがなく、ノズル本体（容器）をどのような方向、角度で使用してもトップキャップは邪魔になることはない。
【実施例】
【００１１】
図１〜図４に基づいて、本考案に係るノズルキャップの実施例を詳細に説明する。
図１は射出成形により一体成形されたノズルキャップの正面図、図２は図１に示されたノズルキャップを上方から見た平面図、図３はノズルキャップを取り外し、止めリングを用いてトップキャップをノズル部に止めた状態の説明図、図４は連結帯をノズル本体の中心から少しずらし、トップキャップと止めリングをノズル本体の中心に合わせて一体成形したノズルキャップの説明図である。
【００１２】
これら各図において、１は容器１００の口部１０１に対する装着口２を下部に形成し、上部にノズル部３を形成したノズル本体、４はこのノズル本体１の下部であって、装着口２の外周部分から水平方向に延長して一体形成された連結帯である。更に、この連結帯４の先端には、上向きにトップキャップ５が一体成形されていると共に、トップキャップ５に近い部分の連結帯４には、前記ノズル本体１のノズル部３において、上方から通嵌できるリング孔７を成形した止めリング６が一体成形されている。
【００１３】
上記ノズルキャップは、射出成形用金型を用いて一体成形されていて、図３に示すように、容器１００の装着口２のところに装着される。そして、使用する際は、図３において、実線で示すように、トップキャップ５をノズル部３から取り外し、連結帯４を曲げて止めリング６をノズル部３に通嵌し、固定する。
この結果、トップキャップ５はノズル部３に固定されるため、ノズル本体１（容器１００）をどのような方向、角度で使用してもトップキャップ５が邪魔になることはないと共に、トップキャップ５を紛失することもない。
【００１４】
図４は、ノズル本体１の中心より少しずらした位置から連結帯４を延長し、止めリング６及びトップキャップ５のみを中心に合わせたもので、こうすることにより、トップキャップ５を閉じたり、止めリング６を止める際に連結帯４が邪魔しない利点がある。
【図面の簡単な説明】
【００１５】
【図１】本考案に係るノズルキャップの正面図
【図２】本考案に係るノズルキャップの平面図
【図３】本考案に係るノズルキャップを容器に取付け、トップキャップを止めリングを用いてノズル部に止めた状態の説明図
【図４】ノズル本体の中心から少しずらして連結帯を延長し、トップキャップと止めリングのみをノズル本体の中心に合わせた成形例の説明図
【図５】（Ａ）は、従来のノズルキャップの説明図、（Ｂ）は従来のノズルキャップにおいて、内容物を注出している状態の説明図
【符号の説明】
【００１６】
１  ノズル本体
２  装着口
３  ノズル部
４  連結帯
５  トップキャップ
６  止めリング
７  リング孔
【図１】
0003116898.tif 000003
【図２】
0003116898.tif 000004
【図３】
0003116898.tif 000005
【図４】
0003116898.tif 000006
【図５】
0003116898.tif 000007